(57)【要約】【課題】被設置部への取付け作業やメンテナンス作業を向上できる照明器具を提供する。【解決手段】被設置部に設けられる取付部材１と；この取付部材１に取付けられて保持される光源部２と；前記取付部材１に対して、前記光源部２を長手方向へ所定寸法スライドして移動させた場合に、その移動を停止させるとともに、前記取付部材１に対して、前記光源部２を上下方向に係止するロック機構３と；を具備する。【選択図】図２
2018055775.tif 000002
【特許請求の範囲】
【請求項１】
被設置部に設けられる取付部材と；
この取付部材に取付けられて保持される光源部と；
前記取付部材に対して、前記光源部を長手方向へ所定寸法スライドして移動させた場合に、その移動を停止させるとともに、前記取付部材に対して、前記光源部を上下方向に係止するロック機構と；
を具備することを特徴とする照明器具。
【請求項２】
前記取付部材には、給電部が配設されており、前記光源部には受電部が配設されていて、取付部材に光源部が取付けられることにより、前記給電部に前記受電部が電気的に接続されることを特徴とする請求項１に記載の照明器具。
【請求項３】
前記取付部材は、一対の構成であり、それぞれ長手方向に一端部から他端部まで連続して給電部が配設されていることを特徴とする請求項１又は請求項２に記載の照明器具。
【発明の詳細な説明】
【技術分野】
【０００１】
本発明の実施形態は、被設置部に設けられる取付部材に光源部を取付ける照明器具に関する。
【背景技術】
【０００２】
近時、低消費電力、高効率化、長寿命化及び薄型化が可能な光源としてＬＥＤ（発光ダイオード）や有機ＥＬ（エレクトロルミネッセンス）素子層を用いた面状光源が開発されている。このような光源は、屋内用や屋外用として各種照明器具に用いられることが考えられている。
【０００３】
従来、例えば、バスや鉄道車両等の車両における車内灯に用いられる照明器具は、車両の天井面（被設置部）に設置される器具本体を備えており、この器具本体の前面側に光源部が設けられている。この場合、器具本体は、天井面に取付ボルト等を用いて取付けられる。
【先行技術文献】
【特許文献】
【０００４】
【特許文献１】特開２０１３−９９９９８号公報
【特許文献２】特開２０１３−２２６８９７号公報
【発明の概要】
【発明が解決しようとする課題】
【０００５】
しかしながら、上記のような照明器具では、被設置部への取付け作業やメンテナンス作業において、その作業性が効率的ではないという課題が生じる。
【０００６】
本発明は、上記課題に鑑みなされたもので、被設置部への取付け作業やメンテナンス作業を向上できる照明器具を提供することを目的とする。
【課題を解決するための手段】
【０００７】
本発明の実施形態による照明器具は、被設置部に設けられる取付部材と；この取付部材に取付けられて保持される光源部と；前記取付部材に対して、前記光源部を長手方向へ所定寸法スライドして移動させた場合に、その移動を停止させるとともに、前記取付部材に対して、前記光源部を上下方向に係止するロック機構と；を具備することを特徴とする。
【発明の効果】
【０００８】
本発明の実施形態によれば、被設置部への取付け作業やメンテナンス作業を向上できる照明器具を提供することが可能となる。
【図面の簡単な説明】
【０００９】
【図１】本発明の実施形態に係る照明器具を示す斜視図である。
【図２】同照明器具が被設置部に取付けられた状態を示す側面図である。
【図３】同照明器具における一方の取付部材の前面側を示す斜視図である。
【図４】同照明器具における光源部の背面側を一方の取付部材とともに示す斜視図である。
【図５】図２中、Ａ部を示す拡大図である。
【図６】図４中、Ｂ部を示す拡大図である。
【図７】ロック機構の動作を示し、図５中、Ｙ−Ｙ線に沿って示す側面図である。
【発明を実施するための形態】
【００１０】
以下、本発明の実施形態について図１乃至図７を参照して説明する。本実施形態では、バスや電車等の車両における車内灯として用いられる照明器具を示している。なお、各図において同一部分には同一符号を付し、重複した説明は省略する。また、天井面等の被設置部側を背面側とし、照明器具からの光の照射側を前面側として説明する。
【００１１】
照明器具は、車両の天井面等の被設置部に取付けられる長尺状の一対の取付部材１と、この取付部材１に取付けられる光源部２とを備えている。
【００１２】
また、本実施形態の照明器具は、図５に代表して示すように、取付部材１に対して、光源部２を長手方向へ所定寸法スライドして移動させた場合に、その長手方向への移動を停止させるとともに、取付部材１に対して、光源部２を上下方向に係止するロック機構３を備えている。このようなロック機構３は、後述するように、一例として取付部材１側に設けられたストッパ部３１及び係止片受部３２、光源部２側に設けられたロック部材３４、ばね部材３５及び係止片３３を構成要素としている。
【００１３】
照明器具は、電源ユニットから取付部材１を経由して光源部２へと電力が供給されるが、本実施形態においては、電源ユニットは、図示を省略する別置タイプのものが用いられている。
【００１４】
電源部ユニットは、ケース内に回路部品を収容して構成されており、外部電源に接続されて、この外部電源を受けて直流出力を生成するものである。電源部ユニットは、例えば、全波整流回路の出力端子間に平滑コンデンサを接続し、この平滑コンデンサに直流電圧変換回路及び電流検出手段を接続して構成されている。
【００１５】
電源部ユニットは、光源部２に接続されるようになっていて、その直流出力を光源部２に供給し、光源部２を点灯制御する。
【００１６】
図１乃至図３に示すように、一対の取付部材１ａ、１ｂは、例えば、溶融亜鉛めっき鋼鈑等の金属材料を折曲して長尺状の略Ｌ字状に形成されている。具体的には、取付部材１ａ、１ｂは、底壁１１及び側壁１２を有している。なお、一対の取付部材１ａ、１ｂは、同様な構成であるため、一方の取付部材１ａを代表として説明する。
【００１７】
この取付部材１ａ、１ｂには、図５及び図７を併せて参照して示すようにロック機構３を構成する一構成要素であるストッパ部３１及び係止片受部３２が設けられている。また、取付部材１ａ、１ｂには、長手方向に沿って給電部５が設けられている。
【００１８】
ストッパ部３１は、取付部材１ａ、１ｂにおける一端側の底壁１１に設けられており、側面形状が略長方形状をなし、前面側へ突出して長手方向に沿って配設されている。
【００１９】
係止片受部３２は、同様に、取付部材１ａ、１ｂにおける一端側の底壁１１に設けられており、ストッパ部３１から所定寸法離間して配設されている。係止片受部３２は、略直方体形状の外形をなしていて、ストッパ部３１と対向する面側に係止開口３２ａを有している。この係止開口３２ａには、後述する光源部２側の係止片３３が係止されるようになっている。
【００２０】
なお、取付部材１ａ、１ｂにおける他端側の底壁１１にも前記係止片受部３２と同様な構成の係止片受部３２´が設けられている。
【００２１】
給電部５は、取付部材１ａ、１ｂの長手方向に一端部から他端部まで連続するように設けられている。給電部５は、絶縁部材５１と、この絶縁部材５１上に配設された導電部材５２とを備えていて、取付部材１ａ、１ｂの長手方向に沿って配設されている。具体的には、取付部材１ａ、１ｂの底壁１１から延出した取付片１３によって絶縁部材５１が取付けられて、給電部５は取付部材１ａ、１ｂに配設される。
【００２２】
したがって、導電部材５２は、取付部材１ａ、１ｂの長手方向における一端部から他端部にわたって配設されることとなり、電源ユニットの一極側が取付部材１ａの給電部５に接続され、他極側が取付部材１ｂの給電部５に接続されるようになる。
【００２３】
なお、取付部材１ａ、１ｂは、配線ダクト形式のものとして構成してもよい。この場合、一対の取付部材１ａ、１ｂを並行して被設置部に長いスパンで設置する。特に、複数の光源部を直線状に並設する場合に好適となる。
【００２４】
次に、光源部２は、図１、図２及び図４に示すようにパネル状に形成されており、有機ＥＬ素子層を用いた面状光源２１、端子カバー２２、ロック機構３及び受電部６を備えている。この面状光源２１は、薄型であり軽量化が図られている。
【００２５】
面状光源２１は、１枚の有機ＥＬパネルで構成されており、概略的には透光性の基板と、この基板上に形成された有機ＥＬ素子層と、この有機ＥＬ素子層を気密的に封止する封止部材とを備えている。透光性の基板は、例えば、不燃性であるガラス板から形成されていて、光が透過する材料が用いられている。なお、有機ＥＬパネルは、複数枚を長手方向に並べて構成するようにしてもよい。
【００２６】
面状光源２１の両側には、面状光源２１の長手方向に沿って端子部を覆う絶縁性を有する端子カバー２２が設けられている。
【００２７】
また、面状光源２１の背面側における一端部側には、一対のロック機構３が設けられている。具体的には、ロック機構３を構成するロック部材３４及び弾性部材としてのばね部材３５が設けられている。
【００２８】
図５及び図６を併せて参照して示すようにロック部材３４は、本体部３４ａと操作片部３４ｂとを有している。本体部３４ａは、一端側が背面側へ突出するように形成されており、他端側には、ばね部材３５を受ける受穴が形成されている。また、その他端側から操作片部３４ｂが横方向に延出し、そして垂下するように折曲して形成されている。この操作片部３４ｂは、端子カバー２２に形成されたガイド溝３４ｃから露出しており、ガイド溝３４ｃに沿って上下動が可能となっている。
【００２９】
ばね部材３５は、端子カバー２２と本体部３４ａの受穴との間に配設されている。したがって、ロック部材３４は、ばね部材３５の弾性力が付加された状態において、図５に代表して示すように上下方向（矢印で示す）に突没して移動可能に構成されている。
【００３０】
また、主として図５、図６及び図７に示すようにロック部材３４の近傍には、ロック機構３を構成する係止片３３が設けられている。係止片３３は、基部３３ａと、この基部３３ａから立設するように形成されたかぎ状の係止部３３ｂとを有している。この係止片３３は、前述の取付部材１ａ、１ｂ側の係止片受部３２と対向するものである。
【００３１】
なお、光源部２の他端側にも前記係止片３３と同様な構成の係止片３３´が設けられている。
【００３２】
また、図２及び図４乃至図６に示すように、面状光源２１の背面側における一端部側には、一対の受電部６が配設されている。受電部６は、具体的には受電端子であり、この受電端子は、直方体形状のケース６１から弾性を有する導電端子６２が凸状に突出して構成されている。この受電部６は、取付部材１ａ、１ｂにおける給電部５と接続されて電気的な接続がなされるようになっている。
【００３３】
次に、図２、図５乃至図７を参照して照明器具の設置状態の概要について説明する。照明器具を被設置部に設置する場合には、まず、一対の取付部材１ａ、１ｂを被設置部に固定する。この一対の取付部材１ａ、１ｂが取付けられた状態で、光源部２を取付部材１ａ、１ｂに取付ける。
【００３４】
図７（ａ）に示すように、光源部２側のロック部材３４における本体部３４ａの上面を、取付部材１側のストッパ部３１の下面に押し当てるように、ばね部材３５の弾性力に抗して光源部２を押し上げる。すると、ロック部材３４の操作片部３４ｂが相対的に下方へ移動し突出した状態となる。この状態から光源部２を長手方向における一方向（図示上、右方向）へスライドさせて移動する。
【００３５】
図７（ｂ）に示すように、所定寸法、すなわち、略ロック部材３４の長さ寸法分をスライド移動させると、ロック部材３４における本体部３４ａの上面とストッパ部３１の下面との摺動が解け、ロック部材３４は、ばね部材３５の弾性的な復元を伴って、上方へ突出する。したがって、ロック部材３４は、ストッパ部３４の側面に当接するような位置に配置されるようになる。
【００３６】
このようなロック部材３４の動作とともに、係止片３３における係止部３３ｂが、取付部材における係止片受部３２の係止開口３２ａに挿入され引っ掛かった状態になる。このため、光源部２は、長手方向（スライド方向）の移動が停止されるとともに、上下方向に係止されて取付部材１ａ、１ｂに保持される。なお、他端側における係止片３３´も係止片受部３２´に引っ掛かった状態で係止される。
【００３７】
また、上記取付部材１ａ、１ｂに光源部２を取付けるロック機構３の動作とともに、給電部５と受電部６との接続が行われる。具体的には、給電部５の導電部材５２に受電部６の導電端子６２が弾性的に接触して電気的な接続が行われる。この場合、給電部５の一極側が一方の受電部６に接続され、給電部５の他極側が他方の受電部６に接続されるようになる。
【００３８】
以上のように光源部２は、取付部材１ａ、１ｂに対し、ロック機構３により機械的な接続が行われ、給電部５と受電部６とにより電気的な接続が行われる。また、これら機械的な接続及び電気的な接続は、光源部２を取付部材１ａ、１ｂに取付ける動作とともに同時的に行われるようになっている。
【００３９】
光源部２を取付部材１ａ、１ｂに取付けた照明器具の設置状態において、電源ユニットから電力を照明器具に供給すると、給電部５及び受電部６を経由して、光源部２における有機ＥＬパネルの面状光源２１に通電され面状光源２１は発光する。面状光源２１から出射された光は、車内に放射され所定の配光範囲に照射される。
【００４０】
一方、光源部２を取付部材１ａ、１ｂから取り外す場合には、図７（ｂ）に示す状態から図７（ａ）に示す状態に操作する。具体的には、ロック部材３４の操作片部３４ｂを操作して、ロック部材３４を下方に移動させて、ロック部材３４をストッパ部３４の側面に当接する位置から外れるように移動させる。そして、光源部２を図示上、左方向に移動させることにより取り外すことができる。これにより前述のような機械的な接続及び電気的な接続が解かれる。
【００４１】
以上のように本実施形態によれば、被設置部への取付け作業やメンテナンス作業を向上することが可能となる。また、光源部２を取付部材１ａ、１ｂに取付ける場合、格別配線作業を必要とせず、工具の準備も不要とすることができる。
【００４２】
なお、本発明は、上記実施形態の構成に限定されることなく、発明の要旨を逸脱しない範囲で種々の変形が可能である。また、上記実施形態は、一例として提示したものであり、発明の範囲を限定することは意図していない。これら新規な実施形態は、その他の様々な形態で実施されることが可能であり、種々の省略、置き換え、変更を行うことができる。これら実施形態やその変形は、発明の範囲や要旨に含まれるとともに、特許請求の範囲に記載された発明とその均等の範囲に含まれる。
【００４３】
例えば、光源は、有機ＥＬパネルに限らず、ＬＥＤであってもよく、その種類が格別限定されるものではない。また、照明器具としては、車両における車内灯に好適に用いられるが、屋内又は屋外で使用される各種照明器具に適用が可能である。
【００４４】
また、電源ユニットは別置タイプのものが好ましいが、電源ユニットを照明器具に内蔵するタイプのものであっても適用することができる。さらに、取付部材は、光源部が取付けられる部材であり、格別その形式が限定されるものではない。さらにまた、ロック機構の構成は、その構成要素が特段限定されるものではない。スライド方向及び上下方向に固定的に保持できる機能を有していればよい。
【符号の説明】
【００４５】
１・・・・取付部材
２・・・・光源部
３・・・・ロック機構
５・・・・給電部
６・・・・受電部
２１・・・面状光源
【図１】
2018055775.tif 000003
【図２】
2018055775.tif 000004
【図３】
2018055775.tif 000005
【図４】
2018055775.tif 000006
【図５】
2018055775.tif 000007
【図６】
2018055775.tif 000008
【図７】
2018055775.tif 000009